(57)【特許請求の範囲】
【請求項１】
支柱の側面にブラケットを介してビームを取り付けるようにした防護柵において、上記ブラケットはビームを受支する受面と上半部に弧状の嵌合溝を形成した起立部を有するブラケット本体と、該ビームの上面を覆い一側に上記起立部に形成した嵌合溝に嵌入係合する噛合フランジを形成したビーム押えと、ビームをブラケット本体とビーム押えの間で締着するボルトを有し、上記ブラケット本体とビーム押えは、筒状のカバーでカバーされており、該カバーとブラケット間には、カバーをブラケットに連結する弾性係合片と該弾性係合片が係合する係合部が設けられており、上記ビーム押えの端縁と上記ブラケット本体の受面を形成する壁の端縁は、上記ボルトによりビーム押えとブラケット本体でビームを締着したとき、端縁どうしが当接しない長さに形成されていることを特徴とする防護柵。
【請求項２】
上記弾性係合片は、ブラケット本体の起立部に設けた係止ばねであり、上記係合部はカバーの内面に設けた係合溝である請求項１に記載の防護柵。
【請求項３】
上記カバーの端縁にはブラケットの端面方向に屈曲する押えフランジが形成されている請求項１または２に記載の防護柵。
【請求項４】
上記ブラケット本体の起立部は取付孔を有し、該取付孔の周囲には略球面状の前側面と内側面が形成され、支柱とブラケットの間には該ブラケット本体の前側面に摺動嵌合する当り面を有する支柱ブロックが設けられ、ブラケット本体の内方には上記起立部の内側面に摺動嵌合する角度固定ブロックが設けられ、上記角度固定ブロックを通してブラケットを支柱にボルト締めした請求項１から３のいずれかに記載の防護柵。
【発明の詳細な説明】
【技術分野】
【０００１】
本発明は、道路や広場その他に使用されている防護柵に関するものである。
【背景技術】
【０００２】
防護柵は、歩道と車道の間等に設けられ、支柱を複数本起立し、該支柱間にビームを掛け渡して構成されている。そして、傾斜地やカーブ地点では、ビームを傾斜して設けることができるようにした各種の防護柵が知られている（例えば特許文献１、２参照）。これらの防護柵のビーム取付部は、例えば、支柱の側面に接する補助部材と、任意角度で補助部材に取り付けられる管材と、管材の内面に嵌合するワッシャを有し、該ワッシャ、管材、補助部材をボルトで締着し、該管材にビームを取り付けている。しかし、このような構成の場合、ボルトが外面に表れるので、体裁がよくなく、危険でもあり、またビームに作用する振動、衝撃等によりボルトが抜け落ち、ビームが脱落するおそれもあった。支柱を支柱カバーで覆うと共にビームの外面をビームカバーで覆い、支柱との連結部を連結部材カバーで覆うことによりビームを固定するボルトを隠すようにした構成も提案されているが（特許文献３参照）、この構成でも連結部材カバーはビスによりビームカバーに取り付けられているから、このビスが外面に表れ、上記と同じような欠点を有し、いたずらされるおそれもある。また、従来の取り付け構造では、例えば特許文献２に示すように、ビームを支持するブラケットを受け金具と蓋金具で構成し、ビームを受け金具の半円筒部に載せ、ビームの上から蓋金具を被せてボルトで連結しているが、この際、蓋金具の端縁に形成した段部は、受け金具の段部に単に載置されるだけである。そのため、ビームの端部が上下、左右に動揺すると蓋金具は殆ど抵抗することなくズレ動き、ボルトの緩みを助長するおそれがあった。
【先行技術文献】
【特許文献】
【０００３】
【特許文献１】実用新案登録第２５３４４３６号公報（実用新案登録請求の範囲、図５、図６）
【特許文献２】特開平９−２２１９４３号公報（段落００１１、図１、図２、図３）
【特許文献３】特許第４０５７３４６号公報（段落００２９、図３）
【発明の概要】
【発明が解決しようとする課題】
【０００４】
本発明の解決課題は、ビームの端部をブラケットを介して支柱に連結するようにした防護柵において、ビームを固定するボルトが緩むおそれがなく、また固定するためのボルトやビスが外面に表れないようにした防護柵を提供することである。
【課題を解決するための手段】
【０００５】
本発明によれば、支柱の側面にブラケットを介してビームを取り付けるようにした防護柵において、上記ブラケットはビームを受支する受面と起立部を有するブラケット本体と、該ビームの上面を覆うビーム押えと、ビームをブラケット本体とビーム押えの間で締着するボルトを有し、上記ブラケット本体とビーム押えをカバーするカバーを上記ビームに嵌挿し、該カバーを上記ブラケット本体に嵌着し、該カバーとブラケット間に弾性係合片と該弾性係合片が係合する係合部を設け、該弾性係合片によりカバーをブラケットに連結したことを特徴とする防護柵が提供され、上記課題が解決される。
【０００６】
また、本発明によれば、上記ブラケットの起立部には嵌合溝が形成され、上記ビーム押えには該嵌合溝に嵌入係合する噛合いフランジが形成されている上記防護柵が提供される。
【発明の効果】
【０００７】
本発明は、上記のように構成され、支柱の側面にブラケットを介してビームを取り付けるようにした防護柵において、上記ブラケットはビームを受支する受面と起立部を有するブラケット本体と、該ビームの上面を覆うビーム押えと、ビームをブラケット本体とビーム押えの間で締着するボルトを有し、上記ブラケット本体とビーム押えをカバーするカバーを上記ビームに嵌挿し、該カバーを上記ブラケット本体に嵌着し、該カバーとブラケット間に弾性係合片と該弾性係合片が係合する係合部を設け、該弾性係合片によりカバーをブラケットに連結したから、ビームをブラケットに固定するボルトは、カバーにより隠され、ボルトの頭部が露出しないので、ボルトの緩みを抑えてビームの脱落が防止され、体裁もよく、緩んだボルトに引っかかるというような危険やいたずらのおそれも防止することができる。また、このカバーを、弾性係合片と係合部の係合によりブラケットに連結するようにしたので、上記のようにボルトでビームをブラケットに固定した後、カバーを移動させてその端部をブラケットに嵌着させれば、従来のようにボルトやビスを使用することなく、簡単にカバーをブラッケットに固定でき、作業が簡単であり、いたずらされるおそれもない。
【０００８】
また、上記ブラケットの起立部に嵌合溝を形成し、上記ビーム押えに該嵌合溝に嵌入係合する噛合いフランジを形成すると、ビーム押えとビームをボルトで固定した状態でビーム押えの上下、左右動は防止され、動揺しないようにでき、ブラケット本体と協働してビームを緩まないように確実に保持することができる。
【図面の簡単な説明】
【０００９】
【図１】本発明の一実施例を示す縦断面図。
【図２】本発明の一実施例を示す横断面図。
【図３】分解斜視図。
【図４】ブラケット本体を示し、（Ａ）は正面図、（Ｂ）は側面図、（Ｃ）は断面図。
【図５】ビーム押えを示し、（Ａ）は正面図、（Ｂ）は側面図、（Ｃ）は長手方向に沿った断面図、（Ｄ）は取付孔に沿った断面図。
【図６】カバーを示し、（Ａ）は正面図、（Ｂ）は側面図、（Ｃ）は断面図。
【図７】係止ばねの正面図。
【発明を実施するための形態】
【００１０】
図１、図２は、本発明の一実施例を示し、ビーム２は、ブラケット３、支柱ブロック４を介して支柱ボルト５で支柱１に取り付けられ、端部がカバー６で覆われている。該ブラケット３は、ビーム２の一端が載置されるブラケット本体７と、ビーム２の上面を覆うビーム押え８と、ビーム２をブラケット本体７とビーム押え８間で締着するビームボルト９を有する。ブラケット本体７は、図４に示すように、ビーム２を受支しほぼ水平方向に延びる弧面状の受面１０と、該受面１０の一側から上方に起立する起立部１１を有する。この受面１０には、ビームボルト９をねじ込むためのねじ孔を形成したボス１２が設けられている。
【００１１】
上記起立部１１には、上記支柱ボルト５を挿通させるための取付孔１３が形成されている。この取付孔１３は該支柱ボルト５に対してブラケット３を任意の角度傾斜させることができるよう支柱ボルト５の軸径よりも大きく開口している。また、この取付孔１３の周囲の壁面は、略球面状に突出する前側面１４と略球面状に凹む内側面１５に形成されている。
【００１２】
上記起立部１１の内側面１５側の上半部には、弧状の嵌合溝１６を形成してあり、前側面側の外周縁には環状の取付溝１７が形成されている。この取付溝１７には、半径方向に弾性的に拡開可能な弾性係合片１８が設けられる。該弾性係合片１８としては、Ｃ型リングや係止爪（図示略）でもよいが、図に示す実施例では、図７に示すように、線状のばね材料を両端が開口した略円状に曲げ、適宜箇所に、図に示す実施例では３箇所に半径方向に弧状に突出する係止部１９を設けた係止ばねを用いている。このように構成すると、上記取付溝１７に装着した際、係止部１９が溝から半径方向に突出し、後記するカバー６の係合部２３に容易に係合させることができ、また係止ばね１８の外周にマイナスドライバー等の適宜の工具（図示略）を差込んで周方向に移動させることにより係止部１９を押圧して半径方向に移動させることができる。
【００１３】
図５を参照し、上記ビーム押え８は、ビーム２の上面に沿うよう弧状に形成され、一側には上記ブラケット本体７の嵌合溝１６に嵌入係合する噛合フランジ２０を設けてある。また、中間部には、ビームボルト９の頭部が入り込むよう内方に突出する凹部２１が形成されている。なお、ビーム２の軸方向に沿って延びるビーム押え８の端縁は、上記ブラケット本体７の受面１０を形成する壁の端縁に当接しない長さに形成され、ビームボルト９でビーム押え８とブラケット本体７を締着したときに、端縁どうしがぶつからないようにしてある。この構成により、上記ビーム押え８は上下、左右に動揺しないようにブラケット本体７の起立部１１に保持され、かつビーム押え８とブラケット本体７はビームの表面に密着するから、ビームを一層動揺しないように保持することができる。
【００１４】
上記ビーム２には、上記ブラケット本体７のボス１２及びビーム押え８の凹部２１が容易に入り込むよう余裕のある切欠孔２２が設けられている。このビームの外周には上記ブラケット本体７とビーム押え８をカバーする上記カバー６が軸方向に移動可能に嵌挿されている。該カバー６は、図６に示すように筒状に形成され、一側の内面に上記弾性係合片（係止ばね）１８が係合する係合部２３、図に示す実施例では係合溝２３が形成されている。他側には、半径方向に屈曲する押えフランジ２４を形成してあり、カバー６でブラケット３を覆った際、該押えフランジ２４はブラケット３の端面方向に延び、該カバーがそれ以上支柱方向に移動しないようにしてある。なお、図に示す実施例とは反対に、弾性係合片（係止ばね）をカバー側に設け、ブラケット側に係合部（係合溝）を設けることもできる。また、上記係止ばねに代えて揺動可能な係止爪（図示略）を用いたり、上記係合溝に代えて係止ばねや係止爪が係合するよう適宜の係止突起を設けてもよい。
【００１５】
上記支柱１は、通常円筒状に形成されているから、上記ブラケット３と支柱１の間に、上記支柱ブロック４を設けることによりブラケット３を安定状態で取り付けできるようにしてある。該支柱ブロック４は、略円盤状で上記支柱ボルト５が通過する取付孔２５が形成され、支柱側の側面には支柱の側面に沿うよう弧状の当接面２６を形成してある。また、ブラケット３側の側面には、ブラケット本体７の球面状の前側面１４に摺動嵌合するよう球面状に凹む当り面２７が形成されている。また、該ブラケット本体７の起立部１１の球面状に凹む内側面１５には、角度固定ブロック２８が摺動嵌合している。この構成により、ブラケット３を任意角度傾斜させても、支柱ボルト５のナット２９、ワッシャ３０は安定状態で角度固定ブロック２８に支持される。なお、図に示す実施例とは反対に、ブラケット本体７の起立部１１の内側面１５及び支柱４の当り面２７をビーム側に球面状に突出させ、起立部１１の前側面１４を球面状に凹ませてもよい。
【００１６】
使用に際しては、先ずブラケット３を支柱ブロック４の当り面２７に当て、支柱ボルト５のナット２９を締着してブラケット３を所望の角度で支柱１の側面に固定する。次に、ビーム２をブラケット本体７の受面１０に載せ、その上にビーム押え８を被せて該ビーム押え８に設けた噛合フランジ２０を嵌合溝１６に係合させる。そして、ビームボルト９をビーム押え８の凹部２１に差し込み、先端をブラケット本体７のボス１２にねじ込み、ビーム押え８とビーム２とブラケット本体７を締結する。最後、カバー６の一側に設けた係合溝２３が起立部１１の係止ばね１８に対応する位置まで上記カバー６をビームの端部側に移動すると、係止ばね１８が係合溝２３に係合して、カバー６をその位置に保持することができる。
【００１７】
上記のようにしてビーム２は支柱１に連結されるが、連結した状態でビームボルト９はカバー６で覆われ、外部に表れない。ビーム２を交換等する場合はカバー６とブラケット本体７の起立部１１の外周間の隙間にドライバーの先端（図示略）等を差し込んで、係止ばね１８を押し込み、係合溝２３との係合を外してカバー６を移動し、ビームボルト９を露出させればよい。なお、このような解除構造は一般には、外部から直ちにわからないから、むやみにいたずらされるおそれはない。
【００１８】
上記実施例では、カバーをブラケット本体の起立部に連結したが、弾性係合片とその係合部は、ブラケットの外面とカバーの内面の適宜位置に設けることもできる。また、傾斜地やカーブのある場所でビームを任意角度傾斜して支柱に取り付ける場合につき説明したが、ビームを傾斜させずに支柱の横方向に水平にビームを連結する場合にも、本発明を適用することができる。
【符号の説明】
【００１９】
１    支柱
２    ビーム
３    ブラケット
４    支柱ブロック
５    支柱ボルト
６    カバー
７    ブラケット本体
８    ビーム押え
９    ビームボルト
１０  受面
１１  起立部
１６  嵌合溝
１８  弾性係合片（係止ばね）
２０  噛合フランジ
２３  係合部（係合溝）
２８  角度固定ブロック
【図１】
0005878747.tif 000002
【図２】
0005878747.tif 000003
【図３】
0005878747.tif 000004
【図４】
0005878747.tif 000005
【図５】
0005878747.tif 000006
【図６】
0005878747.tif 000007
【図７】
0005878747.tif 000008